(57)【要約】【課題】コンタクトレンズをケース内の保存液に浮遊させて保管するコンタクトレンズケースにおいて、コンタクトレンズの取り出しを容易に行うことができるようなケースを提供する。【解決手段】コンタクトレンズケース内面の底面に凹凸を設ける。コンタクトレンズの大きさや、使用者の指の太さ、底面の形状に応じて、凸部又は凹部を設ける数と位置を決める。この凹凸により、保存液中のレンズを取り出す「とりかかり」を得ることができる。【選択図】図５
2006136543.tif 000002
【特許請求の範囲】
【請求項１】
容器本体と蓋を有し、容器内に液を満たし、コンタクトレンズを当該液に浮遊させて用いるコンタクトレンズケースにおいて、ケース内の底面に凹凸を設けたことを特徴とするコンタクトレンズケース。
【発明の詳細な説明】
【技術分野】
【０００１】
この発明は、コンタクトレンズのケースに関する。より詳細には、コンタクトレンズをケース内の保存液に浮遊させて保管するコンタクトレンズケースにおいて、容器内部の底面に凹凸が設けてあるコンタクトレンズのケースに関する。
【背景技術】
【０００２】
コンタクトレンズケースに関し、以下の文献がある。
【特許文献１】実開昭５９−１２８２２３
【０００３】
従来、コンタクトレンズをケース内の保存液に浮遊させて保管するコンタクトレンズケースあっては、その内側の底面は、図９乃至図１１に示すとおり、平らであった。そして、浮遊したコンタクトレンズを取り出す際には、容器に指を入れてこれを行うのであるが、指を入れたことによる水流により、溶液内をコンタクトレンズが逃げ、取り出しが思うようにいかないという問題があった。時には、図１１に示すとおりコンタクトレンズが容器の隅に貼り付き、取り出しの困難を極めた。
【発明の開示】
【発明が解決しようとする課題】
【０００４】
コンタクトレンズをケース内の保存液に浮遊させて保管するコンタクトレンズケースにおいて、コンタクトレンズの取り出しを容易に行うことができるものを提供することを課題とする。
【課題を解決するための手段】
【０００５】
請求項１では、容器本体と蓋を有し、容器内に液を満たし、コンタクトレンズを当該液に浮遊させて用いるコンタクトレンズケースにおいて、ケース内の底面に凹凸を設けたことを特徴とするコンタクトレンズケースによって課題を解決する。
【０００６】
凹凸とは例えば図３乃至図８に示すとおりである。図３，図４では凸部が設けてある場合を示すが、凹部が設けてあってもかまわない。要は、後述のとおり、容器からコンタクトレンズを取り出す際に、保存液内でコンタクトレンズを立ち上がらせたり、端部を持ち上げたりして、「とりかかり」が得られるようにされていればよい。凹凸の数と位置は、容器の大きさや底面の形状により対応する。例えば、子供のコンタクトレンズ用のケースにあっては、小さな指に対応できるよう凹凸の数を増やす。
【発明の効果】
【０００７】
容器の底面に凹凸を設ける、というごく簡単な構成により、容器からコンタクトレンズを取り出しやすくなる。底面に凹凸を設けることは製造工程も何ら困難を伴うものではないので、製品の製造コストを上げることもない。
【発明を実施するための最良の形態】
【０００８】
発明を実施するための最良の形態を実施例に示す。
【実施例】
【０００９】
図１及び図２に、容器に溶液を満たし、コンタクトレンズを浮遊させて用いるコンタクトレンズケースを示す。容器本体３は、並列に二つ並んでおり、容器ベース２により二つがつながっている。容器本体３には蓋１０が取り付けられている。容器本体３内には、溶液が満たしてあり、溶液内をコンタクトレンズ１７が浮遊している。コンタクトレンズ１７を取り出す際には、図２に示すとおり、容器本体３から蓋１０を取り外し、容器本体３内に指を差し入れてこれを行う。
【００１０】
例えば、ハードレンズでは、図５のａに示すとおり、容器本体３内に指を差し入れてコンタクトレンズの一端を容器内の壁や底面に衝突させ、衝突部分を支点にしてコンタクトレンズの他端を起きあがらせ、下側に指をくぐりこませ、コンタクトレンズを指の腹に載せてすくい上げるようにして、取り出す。底面に設けた凸部により、コンタクトレンズの他端を起きあがらせる際、凸部のもたらす傾斜を利用できて、起きあがらせやすい。また例えば、ソフトレンズの場合、図５のｂに示すとおり、底面の凸を利用して、コンタクトレンズを撓ませて、端部が持ち上がるようにし、持ち上がった端部を「とりかかり」にして二つの指でつまんで取り出す。この場合も、凸部が設けてあることにより、レンズを取り出す「とりかかり」を得ている。
【００１１】
図６乃至図８に、凸部又は凹部を設ける数と位置を例示する。コンタクトレンズの大きさや、使用者の指の太さ、底面の形状に応じて、レンズを取り出す「とりかかり」が得やすいようにされていればよい。
【産業上の利用可能性】
【００１２】
コンタクトレンズのような、柔らかい材質で成り、かつ、液状体に満たして保存し、指で出し入れする必要のあるものの容器に、利用できる。
【図面の簡単な説明】
【００１３】
【図１】本願に係るコンタクトレンズケースを示す。
【図２】本願に係るコンタクトレンズケースを示す。
【図３】本願に係るコンタクトレンズケースの容器部分の縦断面図を示す。
【図４】本願に係るコンタクトレンズケースの容器部分の縦断面図を示す。
【図５】本願に係るコンタクトレンズケースの使用状態を例示する。
【図６】本願に係るコンタクトレンズケースの上面図を示す。
【図７】本願に係るコンタクトレンズケースの上面図を示す。
【図８】本願に係るコンタクトレンズケースの上面図を示す。
【図９】従来のコンタクトレンズケースの容器部分の縦断面図を示す。
【図１０】従来のコンタクトレンズケースの容器部分の縦断面図を示す。
【図１１】従来のコンタクトレンズケースの使用状態を例示する。
【符号の説明】
【００１４】
１  コンタクトレンズケース
２  容器ベース
３  容器本体
４  凸部
１０  蓋
１５  容器本体
１６  保存液
１７  コンタクトレンズ
【図１】
2006136543.tif 000003
【図２】
2006136543.tif 000004
【図３】
2006136543.tif 000005
【図４】
2006136543.tif 000006
【図５】
2006136543.tif 000007
【図６】
2006136543.tif 000008
【図７】
2006136543.tif 000009
【図８】
2006136543.tif 000010
【図９】
2006136543.tif 000011
【図１０】
2006136543.tif 000012
【図１１】
2006136543.tif 000013
【手続補正書】
【提出日】平成16年12月21日(2004.12.21)
【手続補正１】
【補正対象書類名】図面
【補正対象項目名】全図
【補正方法】変更
【補正の内容】
【図１】
2006136543.tif 000014
【図２】
2006136543.tif 000015
【図３】
2006136543.tif 000016
【図４】
2006136543.tif 000017
【図５】
2006136543.tif 000018
【図６】
2006136543.tif 000019
【図７】
2006136543.tif 000020
【図８】
2006136543.tif 000021
【図９】
2006136543.tif 000022
【図１０】
2006136543.tif 000023
【図１１】
2006136543.tif 000024